(57)【要約】【課題】近距離無線通信において通信相手装置との接続性を確保しつつ、スキャン要求信号に対する応答信号の送信を適切に行うこと。【解決手段】通信装置は、通信相手装置から近距離無線通信路を介してスキャン要求信号及び接続要求信号を受信する受信手段と、前記スキャン要求信号及び前記接続要求信号のそれぞれに対する応答信号を送信する送信手段と、自装置が第１の状態より消費電力が小さい第２の状態で動作しているときは、前記スキャン要求信号に対する応答信号を前記送信手段から送信させず、前記接続要求信号に対する応答信号を前記送信手段から送信させ、前記自装置が前記第１の状態で動作しているときは、前記スキャン要求信号に対する応答信号及び前記接続要求信号に対する応答信号を前記送信手段から送信させる制御手段と、を備える。【選択図】  図２
2019149775.tif 000002
【特許請求の範囲】
【請求項１】
通信相手装置から近距離無線通信路を介してスキャン要求信号及び接続要求信号を受信する受信手段と、
前記スキャン要求信号及び前記接続要求信号のそれぞれに対する応答信号を送信する送信手段と、
自装置が第１の状態より消費電力が小さい第２の状態で動作しているときは、前記スキャン要求信号に対する応答信号を前記送信手段から送信させず、前記接続要求信号に対する応答信号を前記送信手段から送信させ、前記自装置が前記第１の状態で動作しているときは、前記スキャン要求信号に対する応答信号及び前記接続要求信号に対する応答信号を前記送信手段から送信させる制御手段と、
を備えることを特徴とする通信装置。
【請求項２】
前記通信相手装置の所定の情報を登録する登録手段をさらに備え、
前記通信相手装置の所定の情報が前記登録手段に登録されている場合、前記制御手段は、前記第２の状態であっても、前記通信相手装置からのスキャン要求信号に対する応答信号を前記送信手段から送信させる請求項１に記載の通信装置。
【請求項３】
前記通信相手装置の所定の情報が前記登録手段に登録されており、前記通信装置が前記第１の状態で動作している場合、前記制御手段は、前記通信相手装置以外の機器からの接続要求信号に対する応答信号を前記送信手段から送信させない請求項２に記載の通信装置。
【請求項４】
前記通信相手装置の所定の情報が前記登録手段に登録されており、前記通信装置が前記第２の状態で動作している場合、前記制御手段は、前記通信相手装置以外の機器からのスキャン要求信号に対する応答信号を前記送信手段から送信させない請求項２または３に記載の通信装置。
【請求項５】
前記通信装置は、前記第２の状態への移行指示を受けた場合、または、前記通信装置の所定の機能が所定時間使用されていない場合、前記第１の状態から前記第２の状態に移行する請求項１〜４のいずれか１項に記載の通信装置。
【請求項６】
通信相手装置から近距離無線通信路を介してスキャン要求信号及び接続要求信号を受信する受信手段と、
前記スキャン要求信号及び前記接続要求信号に対する応答信号を送信する送信手段と、
自装置の所定のアプリケーションが稼働しているときは、前記スキャン要求信号に対する応答信号を前記送信手段から送信させず、前記接続要求信号に対応する応答信号を送信させ、前記所定のアプリケーションが稼働していないときは、前記スキャン要求信号に対する応答信号及び前記接続要求信号に対応する応答信号を前記送信手段から送信させる制御手段と、
を備えることを特徴とする通信装置。
【請求項７】
前記通信相手装置の所定の情報を登録する登録手段をさらに備え、
前記通信相手装置の所定の情報が前記登録手段に登録されている場合、前記制御手段は、前記所定のアプリケーションが稼働していても、前記通信相手装置からのスキャン要求信号に対する応答信号を前記送信手段から送信させる請求項６に記載の通信装置。
【請求項８】
前記通信相手装置の所定の情報が前記登録手段に登録されており、前記所定のアプリケーションが稼働していない場合、前記制御手段は、前記通信相手装置以外の機器からの接続要求信号に対する応答信号を前記送信手段から送信させない請求項７に記載の通信装置。
【請求項９】
前記通信相手装置の所定の情報が前記登録手段に登録されており、所定のアプリケーションが稼働している場合、前記制御手段は、前記通信相手装置以外の機器からのスキャン要求信号に対する応答信号を前記送信手段から送信させない請求項７または８に記載の通信装置。
【請求項１０】
前記所定のサービスがリモートビューアサービスであることを特徴とする請求項６〜９のいずれか１項に記載の通信装置。
【請求項１１】
前記通信装置が、無線通信機能を備えた撮像装置であることを特徴とする請求項１〜１０のいずれか１項に記載の通信装置。
【請求項１２】
前記近距離無線通信路が、Bluetooth通信路であることを特徴とする請求項１〜１１のいずれか１項に記載の通信装置。
【請求項１３】
前記通信装置はペリフェラル機器であり、前記通信相手装置はセントラル機器であることを特徴とする請求項１２に記載の通信装置。
【請求項１４】
通信装置の制御方法であって、
通信相手装置から近距離無線通信路を介してスキャン要求信号及び接続要求信号を前記通信装置で受信するステップと、
前記スキャン要求信号及び前記接続要求信号のそれぞれに対する応答信号を前記通信装置から前記通信相手装置へ送信するステップと、
前記通信装置が第１の状態より消費電力が小さい第２の状態で動作しているときは、前記スキャン要求信号に対する応答信号を前記通信装置から送信させず、前記接続要求信号に対する応答信号を送信させ、前記通信装置が前記第１の状態で動作しているときは、前記スキャン要求信号に対する応答信号及び前記接続要求信号に対する応答信号を前記通信装置から送信させるステップと、
を有することを特徴とする制御方法。
【請求項１５】
通信装置の制御方法であって、
通信相手装置から近距離無線通信路を介してスキャン要求信号及び接続要求信号を前記通信装置で受信するステップと、
前記スキャン要求信号及び前記接続要求信号のそれぞれに対する応答信号を前記通信装置から前記通信相手装置へ送信するステップと、
前記通信装置の所定のアプリケーションが稼働しているときは、前記スキャン要求信号に対する応答信号を前記通信装置から送信させず、前記接続要求信号に対応する応答信号を送信させ、前記所定のアプリケーションが稼働していないときは、前記スキャン要求信号に対する応答信号及び前記接続要求信号に対応する応答信号を前記通信装置から送信させるステップと、
を有することを特徴とする制御方法。
【請求項１６】
コンピュータが読み取り実行することで、前記コンピュータを、請求項１〜１３のいずれか１項に記載の通信装置の各手段として機能させるためのコンピュータプログラム。
【発明の詳細な説明】
【技術分野】
【０００１】
本発明は、通信装置およびその制御方法に関する。
【背景技術】
【０００２】
スマートフォンと無線通信機能を有する撮像装置とを、近距離無線ネットワークを介して接続し、スマートフォンのアプリケーションを用いて、撮像装置を操作することができる。例えば、スマートフォンのアプリケーションを用いて、撮像装置内の記録済映像や撮像装置のリアルタイム画像を、スマートフォンのディスプレイにおいてモニタすることができる。これは、装置間連携映像サービスシステムの一例である。近距離無線ネットワークは、例えば、Ｂｌｕｅｔｏｏｔｈ（登録商標）規格やBluetooth Low Energy規格に準拠したネットワークである。Bluetooth Low Energyは、以下の記載においてＢＬＥと称する。
また、Bluetooth規格に準拠した無線通信装置（携帯音楽プレーヤー等）の中には、省電力を目的に、対向装置からのスキャン要求信号及び接続要求信号に対して応答信号を送信しないように設定できる無線通信装置がある。
【０００３】
ＢＬＥ規格に準拠した通信では、スキャン要求信号及び接続要求信号に応答信号を送信するか否か（要求信号に対する受信可否）を制御する機能が規定されている。しかしながら、Bluetooth規格やＢＬＥ規格には、信号受信可否制御を行うタイミングに関しての規定はない。
特許文献１及び特許文献２には、対向装置からのスキャン要求信号に対して応答信号を送信しない技術が開示されている。特許文献１では、自装置と相手装置との間で通信路が確立されたことを契機に、自装置は、対向装置（相手装置以外の外部通信装置を含む）からのスキャン要求信号に対して応答信号を送信しない状態に移行する。そして、特許文献１では、当該通信路が解放されたことを契機に、自装置は、対向装置からのスキャン要求信号に対して応答信号を送信できる状態になる（受信可の状態）。
【０００４】
特許文献２では、対向装置からのスキャン要求信号に含まれる情報と自装置で設定した受信条件を比較する。そして、自装置は、受信条件に合致した信号を受信した場合には対向装置に応答信号を送信し、受信条件に合致しない信号を受信した場合には対向装置に応答信号を送信しない。
【先行技術文献】
【特許文献】
【０００５】
【特許文献１】特開２００３−２３３９１号公報
【特許文献２】特開２００９−３３４９０号公報
【発明の概要】
【発明が解決しようとする課題】
【０００６】
特許文献１の信号受信可否制御では、スキャン要求信号に対して応答信号を送信しないよう設定すると、対向装置からの接続要求信号にも応答できなくなる。一方、対向装置から接続要求信号に応答信号を送信するよう設定すると、スキャン要求信号に対して応答信号を送信するようになってしまい、不要なスキャン応答信号を送信してしまう場合がある。不要なスキャン応答信号を送信してしまうと、自装置は無駄な電力を消費する。
また、対向装置との通信中に、自装置がスキャン要求信号に応答しなくなってしまうと、対向装置及びその他の外部通信装置は、自装置の存在を認識できなくなってしまう。
特許文献２の信号受信可否制御では、受信した信号が受信条件に合致しているかをその都度判定しなければならないので、煩雑である。
本発明は、このような状況に鑑みてなされたものであり、近距離無線通信において通信相手装置との接続性を確保しつつ、スキャン要求信号に対する応答信号の送信を適切に行うことを１つの目的とする。
【課題を解決するための手段】
【０００７】
上記目的を達成するため、本発明の一態様による通信装置は、通信相手装置から近距離無線通信路を介してスキャン要求信号及び接続要求信号を受信する受信手段と、前記スキャン要求信号及び前記接続要求信号のそれぞれに対する応答信号を送信する送信手段と、自装置が第１の状態より消費電力が小さい第２の状態で動作しているときは、前記スキャン要求信号に対する応答信号を前記送信手段から送信させず、前記接続要求信号に対する応答信号を前記送信手段から送信させ、前記自装置が前記第１の状態で動作しているときは、前記スキャン要求信号に対する応答信号及び前記接続要求信号に対する応答信号を前記送信手段から送信させる制御手段と、を備える。
【発明の効果】
【０００８】
本発明によれば、近距離無線通信において通信相手装置との接続性を確保しつつ、スキャン要求信号に対する応答信号の送信を適切に行うことができる。
【図面の簡単な説明】
【０００９】
【図１】実施形態１の撮像装置の構成を示すブロック図。
【図２】実施形態１の撮像装置の信号受信可否の状態の移行を示す図。
【図３】実施形態１の撮像装置の信号受信可否の制御フローチャート。
【図４】実施形態１の撮像装置とスマートフォンの動作シーケンスを示す図。
【図５】実施形態１の撮像装置とスマートフォンのペアリング処理のフローチャート。
【図６】実施形態２の撮像装置の信号受信可否の状態の移行を示す図。
【図７】実施形態２の撮像装置とスマートフォンの動作シーケンスを示す図。
【図８】実施形態２の撮像装置の信号受信可否の制御フローチャート。
【図９】実施形態２の撮像装置とスマートフォンのペアリング処理のフローチャート。
【発明を実施するための形態】
【００１０】
以下、本発明の実施形態について、図面を参照して説明する。なお、以下の実施形態は本発明を限定するものではなく、また、本実施形態で説明されている特徴の組み合わせの全てが本発明の解決手段に必須のものとは限らない。実施形態の構成は、本発明が適用される装置の仕様や各種条件（使用条件、使用環境等）によって適宜修正又は変更され得る。実施形態では、通信装置の例として、通信機能を備える撮像装置を説明する。
【００１１】
実施形態１
実施形態１では、撮像装置が、自装置と近隣の無線通信装置との間の近距離無線通信路としてBluetooth規格準拠の無線通信路を利用する場合を説明する。Bluetoothは、バージョン４以降のBluetooth（例えば、近距離通信を低消費電力で行うＢＬＥ）等も含む。
本実施形態では、近隣の無線通信装置は、スマートフォンであるとする。スマートフォンがセントラル機器として動作し、撮像装置１０がペリフェラル機器として動作する場合を説明する。本実施形態の撮像装置は、通常電力状態（通常電力モード）と省電力状態（省電力モード）で動作できるとする。省電力モードは、スリープモードと称されることもある。本実施形態の撮像装置は、通信機能を備えたカメラ装置である。
図１は、実施形態１の撮像装置１０のブロック図である。撮像装置１０は、ホストＣＰＵ１００、表示部１０１、操作部１０２、撮像部１０３、不揮発性記憶部１０４、電源部１０５、ＲＡＭ１０６、ＲＯＭ１０７及びBluetoothコントローラＬＳＩ１１０を備える。
【００１２】
ホストＣＰＵ１００は、撮像装置１０の全体の制御を司るメイン制御部である。ホストＣＰＵ１００は、１つまたは複数のＣＰＵやＭＰＵを有してよい。ホストＣＰＵ１００は、不揮発性記憶部１０４やＲＯＭに記憶されているアプリケーションプログラム、オペレーティングシステム、制御プログラム等を実行する。ホストＣＰＵ１００はタイマ機能を備え、撮像装置１０が提供する機能が所定時間使用されていないかを検出することができる。
【００１３】
表示部１０１は、例えば、液晶ディスプレイやＬＥＤ（発光ダイオード）からなる。表示部１０１は、撮像部１０３が撮像した画像を表示することができる。また、表示部１０１は、撮像装置１０の利用者が入力した指示や数値も表示することができる。表示部１０１は、タッチパネルを含んでもよい。
操作部１０２は、撮像装置１０の動作を指示するための各種ボタン等からなる。
撮像部１０３は、レンズユニットや撮像素子を有する。撮像部１０３は、動画及び静止画を撮像することができる。
不揮発性記憶部１０４は、例えば、ハードディスク、スティックメモリ、フレキシブルディスク、ＩＣメモリカード、ＭＯ等である。
電源部１０５は、通常電力モードにおいては、ホストＣＰＵ１００とBluetoothコントローラＬＳＩ１１０に電源供給する。一方、電源部１０５は、省電力モードにおいては、ホストＣＰＵ１００に電源供給せず、BluetoothコントローラＬＳＩ１１０に電源供給する。これにより、省電力モード時は、通常電力モード時よりも撮像装置１０の消費電力が小さくなる。
【００１４】
ＲＡＭ１０６は、アプリケーションプログラム、オペレーティングシステム、制御プログラム等を実行する際に使用される一時記憶装置である。ＲＡＭ１０６は、プログラムの実行に必要な情報やファイル等を一時的に格納し、ホストＣＰＵ１００のワークエリアとして機能する。
ＲＯＭ１０７は、ホストＣＰＵ１００が実行するプログラムを記憶する。
【００１５】
BluetoothコントローラＬＳＩ１１０は、撮像装置１０がBluetooth規格に準拠した通信を行うときの制御を行う。撮像装置１０が省電力状態（ホストＣＰＵ１００が、省電力を目的にしたスリープモードへ移行している状態）にあるときでも、電源部１０５からBluetoothコントローラＬＳＩ１１０に給電がなされる。よって、省電力状態であっても、BluetoothコントローラＬＳＩ１１０は近隣のスマートフォンが送信する無線信号を受信可能な状態で動作している。
BluetoothコントローラＬＳＩ１１０は、ホワイトリスト１１１を内蔵している。ホワイトリスト１１１は、注意・警戒が不要である対象を列挙したリストである。本実施形態では、ホワイトリスト１１１には、撮像装置１０が特定の無線通信装置からのみの信号に対して応答信号を送信する際に使用する、当該特定の無線通信装置の識別情報を事前に記憶しておく。
【００１６】
BluetoothコントローラＬＳＩ１１０は、受信フィルタ１１２とアンテナ１１３を有する。受信フィルタ１１２はフィルタポリシー値４２（図４）を有する。本実施形態では、フィルタポリシー値４２に、４種類の設定値を設定することができる。設定値については図２を参照して後述する。受信フィルタ１１２はフィルタポリシー値４２の設定値に応じて、スキャン（探索）要求信号受信フィルタ及び接続要求信号受信フィルタとして機能することができる。
BluetoothコントローラＬＳＩ１１０とホストＣＰＵ１００は、ＨＣＩ（Ｈｏｓｔ  Ｃｏｎｔｒｏｌ  Ｉｎｔｅｒｆａｃｅ）１１４により接続されている。ＨＣＩ１１４は、ホストＣＰＵ１００とBluetoothコントローラＬＳＩ１１０の間の通信インタフェースである。また、BluetoothコントローラＬＳＩ１１０とホストＣＰＵ１００は、ハードウェア割込みライン１１５により接続されている。ハードウェア割込みライン１１５は、スリープ中のホストＣＰＵ１００をウェイクアップさせる際に使用するラインである。つまり、ハードウェア割込みライン１１５は、省電力状態にあるホストＣＰＵ１００を通常電力状態に移行させる際に使用するラインである。
【００１７】
なお、撮像装置１０は、少なくとも図１に示す構成を備えていればよく、その他のハードウェア要素や機能部を備えていてもよい。
また、図１に示すホストＣＰＵ１００及びBluetoothコントローラＬＳＩ１１０はソフトウェア又はハードウェアによって実現され得る。例えば、ホストＣＰＵ１００がソフトウェアによって実現される場合、ホストＣＰＵ１００の機能を提供するためのプログラムがＲＯＭ１０７等のメモリに記憶される。記憶されたプログラムは適宜ＲＡＭ１０６に読み出され、ホストＣＰＵ１００を構成するＣＰＵが実行することにより、ホストＣＰＵ１００の機能が実現される。一方、ハードウェアにより実現される場合、例えば、所定のコンパイラを用いることで、各機能モジュールの機能を実現するためのプログラムからＦＰＧＡ上に自動的に専用回路を生成すればよい。ＦＰＧＡとは、Ｆｉｅｌｄ  Ｐｒｏｇｒａｍｍａｂｌｅ  Ｇａｔｅ  Ａｒｒａｙの略である。また、ＦＰＧＡと同様にしてＧａｔｅ  Ａｒｒａｙ回路を形成し、ハードウェアとして実現するようにしてもよい。また、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）により実現するようにしてもよい。
【００１８】
次に、図２〜図５を参照して、撮像装置１０が、省電力動作状態から通常電力動作状態に移行した際（またはその逆の移行をした際）の近距離無線通信信号の受信可否設定制御を説明する。以下の記載においては、撮像装置１０とスマートフォン（図４の符号４３）との間の近距離無線通信路としてBluetooth通信路を利用する場合の撮像装置１０側での信号受信時の省電力制御を説明する。以下の記載においてＳはＳｔｅｐ（ステップ）の略である。
【００１９】
図２は撮像装置１０の受信フィルタ１１２の状態の移行図である。受信フィルタ１１２により、スキャン要求信号及び接続要求信号に対する応答信号を送信するか否を決めるので、図２は、撮像装置１０でのスキャン要求信号及び接続要求信号の受信可否状態の移行を示している。本明細書において、受信可とは、通信相手装置からの信号に対して応答信号を送信できることを言う。また、受信否とは、通信相手装置からの信号に対して応答信号を送信できないことを言う。
図２の状態２０は撮像装置１０の電源投入後の状態であり、ホストＣＰＵ１００が稼働を開始している。状態２０において、ホストＣＰＵ１００は、BluetoothコントローラＬＳＩ１１０の受信フィルタ１１２（フィルタポリシー値４２）に対して、スキャン要求信号受信可及び接続要求信号受信可の設定値「０ｘ００」を設定する。その後、撮像装置１０は、ＢＬＥのペリフェラル機器として通常電力動作を開始する。つまり、状態２０では、受信フィルタ１１２によるフィルタリングを行わず（図２の「受信フィルタ利用なし」）、撮像装置１０は通常の電力消費で動作する。
【００２０】
状態２１は、状態２０から省電力モード（パワーセーブモード）に移行した状態である。撮像装置１０は、利用者の省電力モードへの操作（移行指示）に応じて状態２１へ移行する。あるいは、撮像装置１０は、撮像装置１０が提供する機能の未使用期間が所定時間継続している状態を検出すると、状態２１へ移行する。撮像装置１０が提供する機能は、例えば、撮像装置１０内の記録済画像・映像をスマートフォン４３に送信する機能である。状態２０から状態２１への移行は図２において「Ｐｏｗｅｒ  Ｓａｖｅ」と記載されている（Ｓ２０１）。状態２１では、スキャン要求信号に対して受信否を設定する。状態２１は、BluetoothコントローラＬＳＩ１１０のみが動作する省電力動作状態である。撮像装置１０は、撮像装置１０を操作することにより、状態２１から状態２０へ復帰することができる。この復帰は図２において「Ｗａｋｅ  Ｕｐ」と記載されている（Ｓ２０２）。
【００２１】
状態２０から状態２１へ移行する際に、受信フィルタ１１２のスキャン要求信号受信フィルタの設定を有効化（図３のＳ３０２）する。受信フィルタ１１２の設定の有効化によって、スマートフォンからのスキャン要求信号に対して受信否の状態に移行する。また、ホストＣＰＵ１００は、BluetoothコントローラＬＳＩ１１０の受信フィルタ１１２（フィルタポリシー値４２）に、スキャン要求信号受信否及び接続要求信号受信可の設定値「０ｘ０１」を設定する。
【００２２】
状態２２は、状態２０から、スマートフォン４３と撮像装置１０とのペアリング登録が行われた状態である。状態２２では、ペアリング登録されていない機器からの接続要求信号に対して受信否を設定する。つまり、撮像装置１０は、接続要求信号受信フィルタを有効に設定するため、BluetoothコントローラＬＳＩ１１０の受信フィルタ１１２（フィルタポリシー値４２）に、スキャン要求信号受信可及び接続要求信号受信否の設定値「０ｘ０２」を設定する。
【００２３】
状態２０から状態２２に移る際、ペアリング対象装置であるスマートフォン４３のＢＤアドレスを、撮像装置１０BluetoothコントローラＬＳＩ１１０内のホワイトリスト（フィルタリング除外情報リスト）１１１に登録する（Ｓ２０５）。ＢＤアドレスは、Bluetooth対応デバイスを識別するためのアドレス（Bluetooth Device Address）のことである。以下の記載においてＢＤアドレスは装置識別符号と称されることもある。
ホワイトリスト１１１に記憶されているデータ（情報）が全て削除されると、状態２２から状態２０へ戻る（Ｓ２０６）。ホワイトリスト１１１に記憶済のデータが残っている場合は、状態２２が維持される。
【００２４】
状態２３は、状態２２から省電力モードに移行した状態である（Ｓ２０３）。撮像装置１０は、利用者の省電力モードへの操作に応じて状態２３へ移行する（図４のＳ４２２）。あるいは、撮像装置１０は、撮像装置１０の提供機能の未使用期間が所定時間継続している状態を検出すると、状態２３へ移行する（図４のＳ４２２）。状態２３では、スキャン要求信号と接続要求信号に対して受信否を設定する。状態２３は、BluetoothコントローラＬＳＩ１１０のみが動作する省電力動作状態である。
状態２３へ移行する際に、受信フィルタ１１２のスキャン要求信号受信フィルタの設定を有効化（図３のＳ３０２）する。当該設定の有効化によって、ペアリング登録済スマートフォン４３以外が送信元であるスキャン要求信号に対して受信否を設定する状態に移行する。つまり、通信相手装置以外の機器からのスキャン要求信号には応答しないようになる。ホストＣＰＵ１００は、BluetoothコントローラＬＳＩ１１０の受信フィルタ１１２（フィルタポリシー値４２）に、スキャン要求信号受信否及び接続要求信号受信否の設定値「０ｘ０３」を設定する。撮像装置１０は、撮像装置１０を操作することにより、状態２３から状態２２へ復帰することができる（Ｓ２０４）。
【００２５】
図３は撮像装置１０におけるスキャン要求信号及び接続要求信号の受信可否制御のフローチャートである。撮像装置１０は、電源投入がされ、ＢＬＥのペリフェラル機器として通常電力動作を開始しているとする。
先ず、Ｓ３０１において、撮像装置１０は、自装置が省電力動作状態へ移行するか否かを判定する。省電力動作状態へ移行すると判定した場合には、Ｓ３０２に進む。省電力動作状態へ移行すると判定しなかった場合（通常電力動作状態で動作すると判定した場合）には、Ｓ３０３に進む。
【００２６】
Ｓ３０２において、撮像装置１０は、BluetoothコントローラＬＳＩ１１０の受信フィルタ１１２のスキャン要求信号受信フィルタを有効に設定する。図３では、この設定は、フィルタポリシー値にてスキャン要求信号受信フィルタを有効にセットと記載されている。その後、Ｓ３０７に進み、１処理単位の処理を終了する。
Ｓ３０３において、撮像装置１０は、通常電力動作状態で動作しているので、現在の状態（通常電力動作状態）を維持する。もし受信フィルタ１１２がスキャン要求信号に対して受信否に設定されているなら、撮像装置１０は、当該フィルタの設定を解除する。つまり、撮像装置１０は、フィルタポリシー値にてスキャン要求信号受信フィルタを無効にセットする。
【００２７】
Ｓ３０４において、撮像装置１０は、全ての対向装置からの接続要求信号を待受け中か否かの判定をする。Ｓ３０４の判定結果がＹｅｓの場合には、Ｓ３０５に進む。Ｓ３０４の判定結果がＮｏの場合には、Ｓ３０６に進む。
Ｓ３０５において、撮像装置１０は、通常電力動作状態で動作しているので、現在の状態（通常電力動作状態）を維持する。もし受信フィルタ１１２が接続要求信号に対して受信否に設定されているなら、撮像装置１０は、接続要求信号受信フィルタの設定を解除する（無効にセットする）。その後、Ｓ３０７に進み、１処理単位の処理を終了する。
Ｓ３０６において、撮像装置１０は、接続要求信号受信フィルタを有効に設定する。この場合、ペアリング登録している機器からの接続要求信号に対してのみ受信可になる。その後、Ｓ３０７に進み、１処理単位の処理を終了する。
【００２８】
次に、図４及び図５を用いて、撮像装置１０が、電源投入されて、通信相手装置であるスマートフォン４３とのペアリング登録及びペアリング登録抹消を行う際の制御を説明する。図４は、撮像装置１０とスマートフォン４３との間の通信シーケンスを示している。図５はペアリング処理時に実行される、ホワイトリスト登録情報と接続要求信号受信フィルタに関する制御フローチャートである。図２で示したフィルタポリシー値４２の設定値「０ｘ００」、「０ｘ０１」、「０ｘ０２」及び「０ｘ０３」は、図４において「００」、「０１」、「０２」及び「０３」と記載されている。
【００２９】
Ｓ４２０において撮像装置１０へ電源が投入されると、撮像装置１０はＢＬＥのペリフェラル機器として動作を開始する。
Ｓ４０１において、撮像装置１０は、アドバタイズ信号（Advertise）の間欠送信を開始する。なお、撮像装置１０は、後述するＳ４０５、Ｓ４０８及びＳ４１１においてもアドバタイズ信号の間欠送信を行う。
Ｓ４３０において、スマートフォン４３は撮像装置１０からのアドバタイズ信号を受信する。撮像装置１０とスマートフォン４３は、ペアリング登録済ではないので、スマートフォン４３にとって、撮像装置１０は未登録カメラである。よって、スマートフォン４３は、アドバタイズ信号（Ｓ４０１）の受信を契機に、ペアリング未登録の撮像装置１０を近隣に検出した旨の表示（検出表示）を行う。
【００３０】
Ｓ４０２において、スマートフォン４３は撮像装置１０にスキャン要求信号（Scan Req.）を送信する。
Ｓ４０２において、撮像装置１０は、スマートフォン４３から送信されてきたスキャン要求信号を受信する。
電源投入直後の撮像装置１０は、通常電力動作状態で動作しているので、Ｓ４０３において、撮像装置１０は、スキャン要求信号に対して、スキャン応答信号（Scan Res.）をスマートフォン４３に送信する。
【００３１】
Ｓ４３１において、スマートフォン４３は、スキャン応答信号（Ｓ４０３）を受信する。また、スマートフォン４３は、スキャン応答信号の受信を契機に、ペアリング未登録の撮像装置１０が双方向通信可能な圏内に存在する旨の表示（在圏表示）を行う。
Ｓ４２１において、前記表示を確認したスマートフォン４３の利用者が、撮像装置１０とのＢＬＥ通信路を介した連繋サービスを享受したいと要望した場合には、利用者はスマートフォン４３と撮像装置１０との装置ペアリング登録のための操作を実施する。
撮像装置１０がペアリング登録操作（Ｓ４２１）を検知すると、Ｓ４０４において、撮像装置１０とスマートフォン４３との間でペアリング登録の信号送受信シーケンスが起動され、ペアリング登録処理が実施される。
【００３２】
ペアリング登録操作を検知した撮像装置１０は、図５のフローチャートの処理を起動する。
図５のＳ５０１において、まず、撮像装置１０は、検知した操作が、ペアリング情報の登録か、ペアリング解除（ペアリング情報の抹消）のいずれであるかの判定を行う。ペアリング情報の登録であれば、Ｓ５０２に進む。ペアリング解除であれば、Ｓ５０４に進む。上記の説明では、Ｓ４２１（図４）でペアリング登録処理が実施されることになっているので、Ｓ５０１の判定は「登録」になる。
Ｓ５０２において、撮像装置１０は、ペアリング対象装置であるスマートフォン４３のＢＤアドレス（装置識別符号）を、BluetoothコントローラＬＳＩ１１０内のホワイトリスト（フィルタリング除外情報リスト）１１１に登録する。
Ｓ５０３において、撮像装置１０は、接続要求信号受信フィルタを有効に設定する。つまり、撮像装置１０は、受信フィルタ１１２の設定値を「０ｘ０２」（図４のフィルタポリシー値を０２）にする。Ｓ５０３の処理により、撮像装置１０は、スマートフォン４３以外から送られてくる接続要求信号に対して受信否を設定する。Ｓ５０３の後、Ｓ５０７に進み、１処理単位を終了する。
【００３３】
Ｓ５０４において、撮像装置１０は、ペアリング解除の処理を行う。具体的には、撮像装置１０は、アンペアリング対象装置（スマートフォン４３）のＢＤアドレスをホワイトリスト１１１から削除する。
Ｓ５０５において、撮像装置１０は、ホワイトリスト１１１に記憶されていたデータが全て削除されたか否かの判定を行う。ホワイトリスト１１１に記憶済のデータが全て削除されていれば、Ｓ５０６に進む。そうでなければ、Ｓ５０７に進む。
Ｓ５０６において、撮像装置１０は、接続要求信号受信フィルタを解除（無効にセット）する。
Ｓ５０５の判定結果がＮｏの場合、撮像装置１０は、接続要求信号受信フィルタの設定状態を変更しない。この場合、ホワイトリストに残っている登録機器からの接続要求信号に対しては受信可を設定し、それ以外の機器からの接続要求信号に対しては受信否を設定する。
【００３４】
図４に戻る。
Ｓ４０５において、撮像装置１０は、ペアリング登録の信号送受信シーケンス（Ｓ４０４）の完了後にも、アドバタイズ信号をスマートフォン４３に間欠送信する。
Ｓ４３２において、スマートフォン４３は、撮像装置１０からアドバタイズ信号を受信する。そして、スマートフォン４３は、アドバタイズ信号の受信を契機に、ペアリング登録済の撮像装置１０を近隣に検出した旨の表示（検出表示）を行う。
Ｓ４０６において、スマートフォン４３は撮像装置１０にスキャン要求信号を送信する。また、Ｓ４０６において、撮像装置１０は、スマートフォン４３から送信されてきたスキャン要求信号を受信する。
【００３５】
Ｓ４０７において、撮像装置１０は、スキャン要求信号に対して、スキャン応答信号をスマートフォン４３に送信する。
Ｓ４３３において、スマートフォン４３は、スキャン応答信号（Ｓ４０７）を撮像装置１０から受信する。スマートフォン４３は、スキャン応答信号の受信を契機に、ペアリング登録済の撮像装置１０が双方向通信可能な圏内に存在する旨の表示（在圏表示）を行う。
【００３６】
撮像装置１０は、利用者の省電力モードへの操作、或いは撮像装置１０の提供機能の未使用期間が所定時間継続している状態を検出すると、BluetoothコントローラＬＳＩ１１０のみが動作する省電力動作状態へ移行する（Ｓ４２２）。
省電力動作状態へ移行する際（Ｓ４２２）、撮像装置１０は、スキャン要求信号受信フィルタの設定を有効化する（図３のＳ３０２）。
スキャン要求信号受信フィルタの設定の有効化によって、ペアリング登録済スマートフォン４３以外から送信されてくるスキャン要求信号に対して受信否を設定する。
【００３７】
省電力動作状態においても、BluetoothコントローラＬＳＩ１１０は稼働しているので、撮像装置１０は、スマートフォン４３へアドバタイズ信号を送信することができる（Ｓ４０８）。また、省電力動作状態においても、撮像装置１０は、ペア登録済のスマートフォン４３からスキャン要求信号を受信することもできる（Ｓ４０９）。さらに、撮像装置１０は、省電力動作状態においても、スマートフォン４３へスキャン応答信号を送信することもできる（Ｓ４１０）。つまり、省電力動作状態においても、撮像装置１０は、Ｓ４０８〜Ｓ４１０で示した送受信が可能な状態を維持している。
Ｓ４０８〜Ｓ４１０で示した送受信が可能な状態を維持することにより、登録済スマートフォン４３側で表示される、在圏表示及び検出表示は、撮像装置１０が、省電力モードに移行しても維持される（Ｓ４３４）。
Ｓ４２３において、撮像装置１０の操作で撮像装置１０が省電力動作状態から通常電力動作へ復帰し（図２のＳ２０４）、ペアリング情報の登録が解除されるとする。ペアリング情報登録解除操作により、撮像装置１０は、ホワイトリスト１１１からスマートフォン４３のＢＤアドレスを削除する（図５のＳ５０４）。
【００３８】
その後、省電力モードに移行すると、撮像装置１０は、スマートフォン４３からのスキャン要求信号に対して受信否を設定する状態へ移行する。つまり、撮像装置１０がＳ４１１でスマートフォン４３にアドバタイズ信号を送り、Ｓ４１２でスマートフォン４３からスキャン要求信号を受信しても、撮像装置１０は当該スキャン要求信号に対して応答信号を送信しない。つまり、撮像装置１０は、スマートフォン４３からのスキャン要求信号に対して、受信否を設定する。
この状態では、スマートフォン４３は、スキャン応答信号の受信ができない。スマートフォン４３は、ペアリング登録済の撮像装置１０を近隣に検出した旨の表示のみを継続する状態になる（Ｓ４３５）。
【００３９】
（実施形態１の効果）
本実施形態によれば、スマートフォンとペアリング登録をしない場合とペアリング登録をする場合で、異なった制御を実行している。ペアリング登録をしない場合、省電力動作時にスキャン要求信号を受信否とし（状態２１）、通常電力動作時にスキャン要求信号を受信可としている（状態２０）。つまり、本実施形態の撮像装置１０は、省電力動作時にスキャン要求信号を受信否とし、通常電力動作時にスキャン要求信号を受信可とする受信可否自動設定機能を有すると言える。この受信可否自動設定機能により、撮像装置１０の制御・動作に不要な受信信号への応答を不要にし、撮像装置１０の電力消費を低減している。
また、ペアリング登録をしない場合、接続要求信号に対しては受信可を設定している（受信フィルタを利用しない）。つまり、スマートフォン４３からの接続要求信号には、省電力動作時であっても通常電力動作時であっても応答してスマートフォン４３との接続処理を行う。よって、撮像装置１０の接続性を保持しながら電力消費を低減することが可能になる。
【００４０】
スマートフォンとペアリング登録している場合には、ペアリング登録情報をホワイトリストに記憶し、ペアリング登録しているスマートフォンからの接続要求信号に対しては受信可に設定している。そして、ペアリング登録していない機器からの接続要求信号については受信否に設定している（状態２２）。つまり、受信フィルタを利用すると共に、ホワイトリストも利用する。ペアリング登録していない機器からの接続要求信号には応答しないので、更なる電力消費の低減が可能になる。
ペアリング登録をしている場合に、省電力動作状態に移行すると（Ｓ２０３）、スキャン要求信号も受信否に設定する（状態２３）。この場合、ペアリング登録している機器からのスキャン要求信号には応答する。ペアリング登録していない機器からのスキャン要求信号には応答しないので、撮像装置１０の電力消費を低減することができる。
【００４１】
なお、Ｓ４３３において、スマートフォン４３は、スキャン応答信号の受信を契機に、ペアリング登録済の撮像装置が双方向通信可能な圏内に存在する旨の表示を行ったが、当該表示は行わなくてもよい。
上記した実施形態では、通信相手装置がスマートフォン４３であるとしたが、通信相手装置はスマートフォン以外の通信装置でもよい（例えば、タブレット端末、ラップトップコンピュータ）。また、通信相手装置４３と近距離無線通信路を介して通信する通信装置が撮像装置（カメラ装置）１０であるとしたが、当該装置はカメラ装置以外でもよい（例えば、プリンタ、プロジェクタ、スマートフォン、タブレット端末、ラップトップコンピュータ）。
BluetoothコントローラＬＳＩ１１０は、ＺｉｇｂｅｅやＴｒａｎｓｆｅｒＪｅｔなどの他の近距離無線通信を用いてスマートフォンと通信をすることもできる。
【００４２】
実施形態２
次に、図１及び図６〜図９を参照して、本発明の実施形態２に係る撮像装置７０を説明する。撮像装置７０の構成は図１に示した構成と同じである。実施形態２では、撮像装置７０が連携対象のスマートフォン７１と、連携対象外のスマートフォン７３と通信する例を説明する。なお、以下の説明において、実施形態１と同じ構成等については同じ参照符号を付けて、詳細な説明は省略する。
【００４３】
実施形態１においては、撮像装置１０の省電力動作状態と通常電力動作状態の間の状態移行を変更条件として（Ｓ２０１、Ｓ２０２、Ｓ２０３、Ｓ２０４）、撮像装置１０でのスキャン要求信号の受信可否を制御した。実施形態２においては、撮像装置７０でのスキャン要求信号の受信可否の変更条件として、スマートフォン７１と連携動作が可能な所定のサービスが、撮像装置７０内で稼働待機中か否かを条件とする。所定のサービスは、本実施形態では、リモートビューアサービスであるとするがこれに限らない。リモートビューアサービスとは、撮像装置７０のファインダー画像をスマートフォン７１に送信し、スマートフォン７１の画面から撮像装置７０のファインダー画像を確認できるサービスである。加えて、スマートフォンで撮像指示を行うことで、撮像装置７０から離れた場所からシャッターを切る指示を行うことができるサービスである。リモートビューアサービスが撮像装置７０内で稼働待機中である場合、撮像装置７０のリモートビューアサービスに対応するアプリケーションが稼働している。
【００４４】
図６は、実施形態２の撮像装置７０の受信フィルタ１１２の状態の移行図である。図７は、撮像装置７０と、連繋動作対象のスマートフォン７１と、連携動作対象外のスマートフォン７３との間の動作シーケンス図である。図８及び図９は、撮像装置７０の制御フローチャートである。本実施形態では、撮像装置７０は、リモートビューアサービスが稼働待機している状態と、リモートビューアサービスが非稼働の状態の、いずれかを取ることができる。
【００４５】
先ず、撮像装置７０は、連繋動作サービスであるリモートビューアサービスを提供するスマートフォン７１と、図９に示す制御フローに従って、以下のペアリング処理を行う。
Ｓ９０１において、撮像装置７０は、撮像装置７０が検知した操作が、ペアリング情報の登録の操作であるか、ペアリング解除の操作であるかを判定する。撮像装置７０が検知した操作が、ペアリング情報の登録の操作であれば、Ｓ９０２に進む。撮像装置７０が検知した操作がペアリング解除の操作であれば、Ｓ９０５に進む。ペアリング解除の場合、ペアリング情報がホワイトリスト１１１から削除される。
Ｓ９０２において、撮像装置７０は、ペアリング対象装置であるスマートフォン７１との間でリモートビューアサービスの実施が可能であるかを判定する。つまり、撮像装置７０は、所望の連携サービスのサポートがあるか否かを判定する。Ｓ９０２の判定結果がＹｅｓの場合、Ｓ９０３に進む。Ｓ９０２の判定結果がＮｏの場合、Ｓ９０４に進む。
Ｓ９０３において、撮像装置７０は、スマートフォン７１のＢＤアドレスをホワイトリスト１１１に登録する。
【００４６】
Ｓ９０４において、撮像装置７０は、接続要求信号受信フィルタを有効に設定する。
Ｓ９０８は、図５のＳ５０７と同じである。
Ｓ９０５において、ペアリング解除（アンペアリング）の処理がなされる。つまり、撮像装置７０は、アンペアリング対象装置のＢＤアドレスをホワイトリスト１１１から削除する。
Ｓ９０６は、図５のＳ５０５と同じである。Ｓ９０６の判定結果がＹｅｓの場合、Ｓ９０７に進む。Ｓ９０６の判定結果がＮｏの場合、Ｓ９０８に進む。
Ｓ９０７は、図５のＳ５０６と同じである。
【００４７】
次に図８を参照する。
Ｓ８０１において、撮像装置７０は、リモートビューアサービス（所定のサービスの一例）が稼働待機中であるか否かを判定する。つまり、撮像装置７０は、リモートビューアサービスに対応するアプリケーションが稼働中であるか非稼働中であるかを判定する。Ｓ８０１の判定結果がＹｅｓの場合、Ｓ８０２に進む。Ｓ８０１の判定結果がＮｏの場合、Ｓ８０３に進む。
Ｓ８０２は、図３のＳ３０２と同じである。
Ｓ８０３は、図３のＳ３０３と同じである。本実施形態では、リモートビューアサービスが非稼働状態の場合（Ｓ８０１：Ｎｏ）、撮像装置７０内の処理リソースに余裕があると考える。よって、本実施形態の撮像装置７０は、Ｓ８０３において、全てのスマートフォンからのスキャン要求信号に応答できるように、スキャン要求信号の受信フィルタの設定を無効にしている。
Ｓ８０４は、図３のＳ３０４と同じである。Ｓ８０４の判定結果がＹｅｓの場合、Ｓ８０５に進む。Ｓ８０４の判定結果がＮｏの場合、Ｓ８０６に進む。
Ｓ８０５は、図３のＳ３０５と同じである。Ｓ８０６は、図３のＳ３０６と同じである。Ｓ８０７は、図３のＳ３０７と同じである。
【００４８】
次に、図６を参照して、撮像装置７０の受信フィルタ１１２の状態の移行を説明する。
状態６０は、ペアリング登録をする前の通常電力動作状態であり、ホワイトリスト１１１を利用しない。通常電力動作状態であるので、受信フィルタ１１２の設定値は「０ｘ００」である。
撮像装置７０内でリモートビューアサービスが稼働待機中になると、状態６１に移行する（Ｓ６０１）。図６では、リモートビューアサービスが稼働待機中になることをＳｅｒｖｉｃｅ  Ｗａｉｔと記載している。リモートビューアサービス稼働待機状態への移行は、例えば、スマートフォンの利用者による操作で行われる。
状態６１では、スキャン要求信号受信フィルタを有効に設定する。また、状態６１では、スキャン要求信号の受信にホワイトリスト１１１を利用する。受信フィルタ１１２の設定値は「０ｘ０１」である。
撮像装置７０内でリモートビューアサービスが非稼働状態になると、状態６１から状態６０に移行する（Ｓ６０２）。図６では、リモートビューアサービスが非稼働状態になることをＳｅｒｖｉｃｅ  Ｃｌｏｓｅと記載している。
【００４９】
スマートフォンとのペアリング登録が行われると、状態６０から状態６２に移行する（Ｓ６０５）。状態６２では、接続要求信号受信フィルタを有効に設定する。また、状態６２では接続要求信号の受信にホワイトリスト１１１を利用する。受信フィルタ１１２の設定値は「０ｘ０２」である。ホワイトリスト１１１内のペアリング情報が全て抹消されると、状態６２から状態６０へ移行する（Ｓ６０６）。ホワイトリスト１１１内にペアリング情報が残っている場合は、状態６２が維持される。
状態６２に移行した後、撮像装置７０内でリモートビューアサービスが稼働待機中になると、状態６３に移行する（Ｓ６０３）。状態６３では、スキャン要求信号受信フィルタを有効に設定する。また、状態６３では、スキャン要求信号の受信と接続要求信号の受信にホワイトリスト１１１を利用する。受信フィルタ１１２の設定値は「０ｘ０３」である。
撮像装置７０内でリモートビューアサービスが非稼働状態になると、状態６３から状態６２に移行する（Ｓ６０４）。
【００５０】
次に、図７を参照して、撮像装置７０とスマートフォン７１とスマートフォン７３の間の動作を説明する。撮像装置７０の受信フィルタ１１２はフィルタポリシー値７２を有する。
Ｓ７０１において、撮像装置７０は、スマートフォン７１、７３に向けてアドバタイズ信号の間欠送信をしている。なお、撮像装置７０は、実施形態１と同じように電源投入されると、アドバタイズ信号の間欠送信を開始する。Ｓ７０１のフィルタポリシー値は０２であるので、撮像装置７０の状態は図６の状態６２である。
Ｓ７０２において、撮像装置７０は、連繋動作対象外のスマートフォン７３が送信するスキャン要求信号を受信する。
Ｓ７０３において、撮像装置７０は、スマートフォン７３に応答信号を送信する。撮像装置７０は状態６２にあるので、スキャン要求信号に対しては受信可に設定されている。
Ｓ７０４において、撮像装置７０は、連繋動作対象のスマートフォン７１が送信するスキャン要求信号を受信する。
Ｓ７０５において、撮像装置７０は、スマートフォン７１に応答信号を送信する。
【００５１】
Ｓ７２０において、撮像装置７０が、利用者によるリモートビューアサービス稼働待機状態への移行の操作を検出すると、撮像装置７０は、リモートビューアサービス稼働待機状態へ移行する。この移行は、撮像装置７０内の処理リソースをリモートビューアサービスに優先的に割り当てるために行われる。リモートビューアサービス稼働待機状態へ移行すると、撮像装置７０は、連繋動作対象のスマートフォン７１が送信する要求信号のみを受付ける。この動作は、図７においてＳ７２１「Ｒｅｍｏｔｅ  Ｖｉｅｗｅｒ  Ｓｔａｒｔ」として記載されており、撮像装置７０のリモートビューアサービスのアプリケーションが稼働し始めたことを意味する。
リモートビューアサービス稼働待機状態に移行する際に、BluetoothコントローラＬＳＩ１１０内のスキャン要求信号受信フィルタの設定を有効にする（Ｓ８０２）。この受信フィルタの設定の有効化によって、撮像装置７０は、ペアリング未登録（リモートビューアサービス提供対象外）のスマートフォン７３が送信するスキャン要求信号に対して受信否に設定される。つまり、撮像装置７０は、Ｓ７０６において、スマートフォン７３に向けてアドバタイズ信号を送信し、Ｓ７０７において、スマートフォン７３からスキャン要求信号を受信するが、スマートフォン７３に応答信号を送信しない。
【００５２】
スマートフォン７１との通信では、撮像装置７０は、Ｓ７０６において、スマートフォン７１に向けてアドバタイズ信号を送信し、Ｓ７０８において、スマートフォン７１からスキャン要求信号を受信する。そして、撮像装置７０は、Ｓ７０９においてスマートフォン７１に応答信号を送信する。つまり、撮像装置７０は、ペアリング登録（リモートビューアサービス提供対象）のスマートフォン７１が送信するスキャン要求信号は受信し、スマートフォン７１へ応答信号を送信する。
【００５３】
撮像装置７０は、利用者の操作によるリモートビューアサービス稼働待機から非稼働状態への復帰を検出すると、撮像装置７０内の処理リソースをリモートビューアサービスへ優先的に割り当てることを終了し、受信フィルタ１１２を無効に設定する（Ｓ８０３）。この動作は、図７においてＳ７２１「Ｒｅｍｏｔｅ  Ｖｉｅｗｅｒ  Ｓｔｏｐ」として記載されている。
受信フィルタ１１２を無効に設定すると、撮像装置７０は、ペアリング未登録のスマートフォン７３が送信するスキャン要求信号に応答可能な状態に復帰する。つまり、撮像装置７０は、リモートビューアサービス非待機状態へ復帰する（図６のＳ６０４）。従って、撮像装置７０が、スマートフォン７３に向けてアドバタイズ信号の送信し（Ｓ７１０）、スマートフォン７３からスキャン要求信号を受信すると（Ｓ７１１）、撮像装置７０は、スマートフォン７３に応答信号を送信する（Ｓ７１２）。また、撮像装置７０が、スマートフォン７１に向けてアドバタイズ信号の送信し（Ｓ７１０）、スマートフォン７１からスキャン要求信号を受信すると（Ｓ７１３）、撮像装置７０は、スマートフォン７１に応答信号を送信する（Ｓ７１４）。
【００５４】
（実施形態２の効果）
以上説明したように、本実施形態の撮像装置７０は、リモートビューアサービス稼働待機状態時にスキャン要求信号を受信否とし、リモートビューアサービス稼働待機状態以外の時にスキャン要求信号を受信可とする、受信可否自動設定機能を有する。
このような受信可否自動設定機能により、リモートビューアサービス稼働待機状態時に、撮像装置７０の制御・動作に不要な受信信号への応答をしないようにする。よって、撮像装置７０のリソースの無駄な使用（無線通信路の占有）や撮像装置７０の無駄な電力消費等を防止することが可能になる。
更に、本実施形態では、対向装置とのペアリング情報をホワイトリスト１１１に記憶し、受信フィルタを利用する際にホワイトリスト１１１に記憶したペアリング登録情報を利用している。よって、ホワイトリスト１１１に登録されているスマートフォンから接続要求信号やスキャン要求信号が送られてくる場合には、撮像装置７０は、常に当該要求信号に応答することができ、撮像装置７０のリソース利用の適正化が可能になる。
【００５５】
（その他の実施形態）
上記した実施形態では、無線通信機能を有する撮像装置を説明したが、本発明はその他の形態でも具現化（実現）することができる。例えば、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００５６】
１０…撮像装置、４３…スマートフォン、１００…ホストＣＰＵ、１１０…ＢｌｕｅｔｏｏｔｈコントローラＬＳＩ、１１１…ホワイトリスト
【図１】
2019149775.tif 000003
【図２】
2019149775.tif 000004
【図３】
2019149775.tif 000005
【図４】
2019149775.tif 000006
【図５】
2019149775.tif 000007
【図６】
2019149775.tif 000008
【図７】
2019149775.tif 000009
【図８】
2019149775.tif 000010
【図９】
2019149775.tif 000011